(57)【特許請求の範囲】
【請求項１】
予め楽曲毎にデフォルト設定されたテンポレベルに代えて所定の範囲内で任意に変更設定されたテンポレベルにて演奏可能なカラオケシステムであって、
楽曲別経過期間特定手段と、テンポレベル設定手段と、を備え、
前記楽曲別経過期間特定手段は、楽曲のリリース年から現暦年までの経過期間を特定し、
前記テンポレベル設定手段は、楽曲のリリース年から現暦年までの経過期間と当該経過期間に対応する楽曲に適したテンポレベルとを紐付けして構成された経過期間対応テンポレベル設定テーブルに基づいて、前記特定された経過期間に適したテンポレベルを当該楽曲のテンポレベルとして変更設定する、
ことを特徴とするカラオケシステム。
【請求項２】
経過期間対応テンポレベルデータ収集手段を、さらに備え、
前記経過期間対応テンポレベルデータ収集手段は、利用者が歌唱を行った際に選択したテンポレベルと、当該楽曲のリリース年から歌唱時までの経過期間と、を収集し、
前記経過期間対応テンポレベルデータ収集手段で収集したデータに基づき前記経過期間対応テンポレベル設定テーブルを構成する、
ことを特徴とする請求項１に記載のカラオケシステム。
【発明の詳細な説明】
【技術分野】
【０００１】
本発明は、予め楽曲毎に設定されたテンポレベルに代えて所定の範囲内で任意にテンポレベルを変更設定可能なカラオケシステムに関するものである。
【背景技術】
【０００２】
従来、カラオケシステムで演奏される楽曲は、それぞれオリジナルのテンポレベルが設定されており、デフォルト状態ではオリジナルのテンポレベルで演奏される。また、オリジナルのテンポレベルではなく、利用者の嗜好に合わせたテンポレベルで歌唱を行いたい場合もあるため、所定の範囲内でテンポレベルを調節することができるようになっている。
【０００３】
また、利用者毎に、好みの楽曲と、この楽曲のテンポレベル等の演奏条件を記憶したメモリカードを用意しておき、このメモリカードを装着することにより、当該利用者の嗜好にあった演奏条件で楽曲を演奏するようにした技術が開示されている（例えば、特許文献１参照）。
【０００４】
【特許文献１】特許第２８０８７９２号公報
【発明の開示】
【発明が解決しようとする課題】
【０００５】
上述したように、従来のカラオケシステムでは、楽曲毎にオリジナルのテンポレベルが設定されており、デフォルトの状態では、このオリジナルのテンポレベルで楽曲が演奏される。
ところで、速いテンポレベルで演奏される楽曲の場合、若い世代から中年世代まではオリジナルのテンポレベルに対応できるが、さらに年齢が高くなるとオリジナルのテンポレベルに対応できなくなることがある。そこで、従来のカラオケシステムはテンポレベルを調節するための手段を有しており、利用者にとってテンポレベルが速すぎた場合には、テンポレベルが遅くなるような調節を行っていた。また、リリース年から現暦年までの経過期間が長い楽曲、すなわち昔の楽曲は、当該楽曲が流行した年代を知っている高齢者が歌唱する場合が多い。特にこのような場合、高齢者がオリジナルのテンポレベルに対応できないおそれがある。
【０００６】
しかしながら、高齢者にとってテンポレベルの変更操作は面倒なものであり、オリジナルのテンポレベルで無理を通して歌い続けてしまうことがあった。また、テンポレベルが歌唱者にとって速すぎるか否かは、楽曲の演奏が始まった後に初めて判明する事柄であり、テンポレベルの変更操作は歌唱中に行われることが殆どである。歌唱途中でテンポレベルが変更されると、楽曲を聴取している者が不自然さを感じるだけではなく、歌唱者がオリジナルのテンポレベルについてゆけないことを他の利用者に印象付けてしまう。
【０００７】
このように、オリジナルのテンポレベルに歌唱者がついてゆけない場合には、歌唱の楽しさを十分に味わうことができないばかりでなく、歌唱者の自尊心を傷つけてしまうおそれもある。
【０００８】
本発明は、上述した事情に鑑み提案されたもので、楽曲のリリース年から現暦年までの経過期間に応じて適切なテンポレベルで楽曲を演奏することにより、歌唱の楽しさを十分に味わうことが可能なカラオケシステムを提供することを目的とする。
【課題を解決するための手段】
【０００９】
本発明のカラオケシステムは、上述した目的を達成するため、以下の特徴点を有している。
すなわち、本発明のカラオケシステムは、予め楽曲毎にデフォルト設定されたテンポレベルに代えて所定の範囲内で任意に変更設定されたテンポレベルにて演奏可能となっている。このカラオケシステムは、楽曲別経過期間特定手段と、テンポレベル設定手段と、を備えている。楽曲別経過期間特定手段は、楽曲のリリース年から現暦年までの経過期間を特定し、テンポレベル設定手段は、楽曲のリリース年から現暦年までの経過期間と当該経過期間に対応する楽曲に適したテンポレベルとを紐付けして構成された経過期間対応テンポレベル設定テーブルに基づいて、特定された経過期間に適したテンポレベルを当該楽曲のテンポレベルとして変更設定することを特徴とする。
【００１０】
また、本発明のカラオケシステムは、上述した構成に加えて、経過期間対応テンポレベルデータ収集手段を、さらに備えることが可能である。経過期間対応テンポレベルデータ収集手段は、利用者が歌唱を行った際に選択したテンポレベルと、当該楽曲のリリース年から歌唱時までの経過期間と、を収集する。そして、経過期間対応テンポレベルデータ収集手段で収集したデータに基づき経過期間対応テンポレベル設定テーブルを構成する。
【発明の効果】
【００１１】
本発明のカラオケシステムによれば、予め楽曲のリリース年から現暦年までの経過期間と当該経過期間に対応する楽曲に適したテンポレベルを設定しておき、選曲に際して当該楽曲のリリース年から現暦年までの経過期間に対応するテンポレベルを当該楽曲のテンポレベルとして変更設定する。したがって、楽曲のリリース年から現暦年までの経過期間に応じて適切なテンポレベルで楽曲を演奏することができるので、歌唱の楽しさを十分に味わうことができる。また、楽曲の演奏開始時から、適切なテンポレベルで楽曲が演奏されるため、他の利用者に違和感を与えず、歌唱者は自信を持って歌唱を行うことができる。
【００１２】
また、利用者が歌唱を行った際に選択したテンポレベルと、当該楽曲のリリース年から歌唱時までの経過期間とを収集して、経過期間対応テンポレベル設定テーブルを構成することにより、楽曲と適切なテンポレベルとの関係をより一層正確に把握することができる。
【発明を実施するための最良の形態】
【００１３】
＜第１の実施形態＞
以下、図面を参照して本発明のカラオケシステムの第１の実施形態を説明する。
本発明の第１の実施形態に係るカラオケシステムは、予め楽曲毎にデフォルト設定されたテンポレベルに代えて所定の範囲内で任意に変更設定されたテンポレベルにて演奏する機能を有している。
【００１４】
＜カラオケシステムの概要＞
図１は、本発明の第１の実施形態に係るカラオケシステムの構成を示すもので、図１（ａ）は通信ネットワークを用いてカラオケシステムを構成した場合の模式図、図１（ｂ）はホスト装置の概略構成を示すブロック図である。また、図２は、顧客データベースの構成を示す説明図である。
【００１５】
本発明の実施形態に係るカラオケシステムは、図１（ａ）に示すように、通信ネットワーク１２を介して相互に接続されたホスト装置１１と複数のカラオケ演奏端末１３とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せず安価な通信網であるという点で、インターネットにより構成されるＶＰＮを利用することが好ましい。
【００１６】
＜ホスト装置＞
ホスト装置１１は、図１（ｂ）に示すように、送受信部２１、制御手段２２、データ処理手段２３、利用者情報格納手段として機能する顧客データベース２４、及び経過期間対応テンポレベル設定テーブル２５ａを備えている。これらの構成要素のうち、少なくとも経過期間対応テンポレベル設定テーブル２５ａ及びカラオケ演奏端末１３により本発明の実施形態に係るカラオケシステムが構成される。
【００１７】
＜送受信部＞
送受信部２１は、各カラオケ演奏端末１３との間でデータの送受信を行うための手段であり、通信ネットワーク１２における通信方式の整合性を保つための通信回路やソフトウェアにより構成される。制御手段２２は、ホスト装置１１を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。
【００１８】
＜データ処理手段／顧客データベース／経過期間対応テンポレベル設定テーブル＞
データ処理手段２３は、顧客データベース２４及び経過期間対応テンポレベル設定テーブル２５ａにアクセスして、データの抽出、変更、追加を処理するためのプログラムからなる。顧客データベース２４は、利用者毎に利用者情報が登録されたデータベースである。この顧客データベース２４は、例えば図２に示すように、利用者毎に、利用者ＩＤ、氏名、セカンドネーム（例えば愛称）、住所、電話番号、年齢、性別、職業等が関連付けて構成されている。経過期間対応テンポレベル設定テーブル２５ａは、図３に示すように、楽曲のリリース年から現暦年までの経過期間と、当該経過期間に対応する楽曲に適したテンポレベルとを紐付けたテーブルデータにより構成されている。なお、図３に示す経過期間対応テンポレベル設定テーブル２５ａにおいて、テンポレベルはオリジナルを「１００」とした場合の相対値を示すものである。経過期間の長さやテンポレベルの値は、適宜変更して実施することができる。
また、後に詳述するが、カラオケ本体３１には、経過期間対応テンポレベル設定テーブル２５ａのコピーである経過期間対応テンポレベル設定テーブル２５ｂが格納される。
【００１９】
＜カラオケ演奏端末＞
次に、カラオケ演奏端末１３について説明する。図４は、カラオケ演奏端末の構成を示すブロック図である。
【００２０】
カラオケ演奏端末１３は、図４に示すように、カラオケ本体３１、表示手段３２、ミキシングアンプ３３、スピーカ３４、マイクロホン３５、遠隔入出力端末３６を備えると共に、通信ネットワーク１２を介してホスト装置１１と接続されている。カラオケ本体３１と表示手段３２とは、有線方式又は無線方式により接続されている。また、ホスト装置１１からカラオケ演奏端末１３に対して、楽曲データ、更新楽曲データ等が送信される。
【００２１】
＜遠隔入出力端末＞
遠隔入出力端末３６は、ユーザインタフェース機能を備えており、カラオケ本体３１のローカル送受信手段５１に対して有線方式又は無線方式によりデータの送受信を行うようになっており、データの送受信を行うための回路基板及びプログラムと、楽曲検索手段３７として機能させるためのプログラムと、一時記憶領域であるＲＡＭ５６とを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００２２】
＜カラオケ本体＞
カラオケ本体３１は、バス４１、中央制御手段４２、ＲＯＭ４３、ＲＡＭ４４、楽曲データベース４６、映像データベース４７、音楽曲出力手段４８、再生制御手段４９、予約管理手段５０、ローカル送受信手段５１、ネットワーク送受信手段５２、楽曲別経過期間特定手段５４、及びテンポレベル設定手段５３を備えている。なお、楽曲データベース４６、映像データベース４７は、ＨＤＤ４５に格納されている。さらに、後に詳述するが、ＨＤＤ４５には、経過期間対応テンポレベル設定テーブル２５ａ及び経過期間特定テーブル５５が格納されている。
【００２３】
＜中央制御手段＞
中央制御手段４２は、カラオケシステムを総合的に制御するための手段であり、例えばＣＰＵ及びその周辺機器により構成されており、ＣＰＵ等がＲＯＭ４３等に記憶されたアプリケーションプログラムに従って動作することにより、制御機能を発揮することができるようになっている。
【００２４】
＜ＲＯＭ／ＲＡＭ＞
ＲＯＭ４３は、カラオケシステムを構成する各機器を制御するためのアプリケーションプログラムデータや数値データを記憶するための機器で、例えば半導体メモリ等で構成される。また、ＲＡＭ４４は、アプリケーションプログラムや種々のデータを一時的に読み込む一時記憶領域として機能するための機器で、例えば半導体メモリ等で構成される。なお、物理的な半導体メモリによりＲＡＭ４４を構成するのではなく、ハードディスク記憶装置等を用いて仮想的なＲＡＭ４４を構成してもよい。本実施形態では、ＲＡＭ４４に、予約待ち行列が格納されている。
【００２５】
＜ＨＤＤ／楽曲データベース／映像データベース＞
楽曲データベース４６及び映像データベース４７は、例えば大容量記憶装置であるＨＤＤ４５に格納されている。
楽曲データベース４６は、演奏データ（ＭＩＤＩ（登録商標）データ）及び歌詞テロップデータが同期されて構成される楽曲データについて、楽曲ＩＤと対応付けてそれぞれ格納したデータベースである。
【００２６】
また、演奏データは各楽曲の演奏データをデジタル化したものであり、歌詞テロップデータは演奏データに同期された楽曲の歌詞文字データである。映像データベース４７は、演奏される楽曲に対応した背景映像を、当該楽曲の楽曲ＩＤに対応させた映像ファイルとして所定数格納したデータベースである。
【００２７】
さらに、ＨＤＤ４５には、ホスト装置１１に格納された経過期間対応テンポレベル設定テーブル２５ａのコピーである経過期間対応テンポレベル設定テーブル２５ｂ、及び後に詳述する経過期間特定テーブル５５が格納されている。経過期間対応テンポレベル設定テーブル２５ｂは、カラオケ本体３１とホスト装置１１とが任意のタイミングで通信を行うことにより取得される。このように経過期間対応テンポレベル設定テーブル２５ａのコピーである経過期間対応テンポレベル設定テーブル２５ｂをカラオケ本体３１のＨＤＤ４５に格納することにより、テンポレベル設定手段５３がテンポレベルの設定を行う毎にホスト装置１１と通信を行う必要がなくなり、テンポレベルの設定処理を迅速に行うことができる。
【００２８】
＜音楽曲出力手段＞
音楽曲出力手段４８は、楽曲ＩＤに基づいて楽曲データベース４６から抽出された演奏データをデジタル再生すると共にアナログ変換してミキシングアンプ３３に出力するための電子回路である。ミキシングアンプ３３は、マイクロホン３５から入力された歌唱者の歌唱音声と、音楽曲出力手段４８から送出される演奏データとをミキシングすると共に、アンプ機能により増幅してスピーカ３４より出力させるための手段である。なお、マイクロホンの数は１本に限られず、２本以上であってもよい。
【００２９】
＜再生制御手段＞
再生制御手段４９は、カラオケ演奏中に、楽曲データベース４６から抽出された楽曲データのうちの歌詞テロップデータ（歌詞文字データ）を当該楽曲の演奏データに同期させて表示手段３２に出力するための電子回路である。さらに、再生制御手段４９は、遠隔入出力端末３６を介した利用者からの操作指示による予約楽曲リストの表示等を表示手段３２に表示させる機能も有している。
【００３０】
＜表示手段＞
表示手段３２は、カラオケ演奏時の映像、歌詞テロップ及び表示識別情報等を表示するための装置で、例えばＣＲＴディスプレイ、液晶ディスプレイ、プラズマディスプレイ等により構成される。
【００３１】
＜予約管理手段＞
予約管理手段５０は、利用者により遠隔入出力端末３６における楽曲検索手段３７の機能を用いて選曲され、ローカル送受信手段５１を介して送信された当該選曲者の利用者ＩＤ、及び選曲された楽曲ＩＤを対応付けて予約待ち行列としてＲＡＭ４４に格納し、管理するためのプログラムである。なお、楽曲選択の表示や予約待ち行列の表示は、遠隔入出力端末３６の入出力用表示部（図示せず）及び表示手段３２のいずれか一方、あるいは双方で行うことができる。
【００３２】
＜送受信手段＞
ローカル送受信手段５１は、遠隔入出力端末３６との間でデータの送受信を行うための手段である。ネットワーク送受信手段５２は、通信ネットワーク１２を介してホスト装置１１との間でデータの送受信を行うための手段であり、通信ネットワーク１２における通信方式の整合性を保つための通信回路やソフトウェアにより構成される。
【００３３】
＜楽曲別経過期間特定手段／経過期間特定テーブル＞
楽曲別経過期間特定手段５４は、楽曲のリリース年から現暦年までの経過期間を特定するためのプログラムである。具体的には、選曲時に、楽曲別経過期間特定手段５４が経過期間特定テーブル５５を参照し、選曲された楽曲の経過期間を特定する。
経過期間特定テーブル５５は、例えば図５に示すように、楽曲毎に、楽曲ＩＤ、楽曲名、アーティスト名、リリース年、及びリリース年から現暦年までの経過期間が関連付けて構成されている。なお、楽曲別経過期間特定手段５４が楽曲のリリース年に基づいて現暦年までの経過期間を算出するような構成とした場合には、経過期間特定テーブル５５を備えなくてもよい。
経過期間特定テーブル５５は、リリース年から現暦年までの経過期間を正確に反映させるため定期的に更新される。更新時期は特に限定されないが、例えば、３ヶ月毎、６ヶ月毎、１年毎等とすることができる。また、経過期間の単位は特に限定されるものではなく、例えば、３ヶ月毎、６ヶ月毎、１年毎等とすることができる。
【００３４】
＜テンポレベル設定手段＞
テンポレベル設定手段５３は、利用者により楽曲が選択された際に、経過期間対応テンポレベル設定テーブル２５ｂを参照し、当該楽曲のリリース年から現暦年までの経過期間に対応するテンポレベルを当該楽曲のテンポレベルとして変更設定するためのプログラムである。
経過期間対応テンポレベル設定テーブル２５ｂを参照するタイミングは、例えば選曲時であるが、このタイミングに限定されずに、楽曲の演奏が開始されるまでの任意のタイミングで経過期間対応テンポレベル設定テーブル２５ｂを参照してもよい。なお、ＨＤＤ４５に経過期間対応テンポレベル設定テーブル２５ｂが格納されていない場合には、ホスト装置１１と通信を行うことにより経過期間対応テンポレベル設定テーブル２５ａを参照して、経過期間に対応するテンポレベルを取得する。
【００３５】
＜テンポレベルの設定手順＞
次に、図６を参照して、本発明の実施形態に係るカラオケシステムを用いてテンポレベルを設定する処理を説明する。図６は、本発明の実施形態に係るカラオケシステムにおける経過期間対応テンポレベル設定処理を示すフローチャートである。
【００３６】
経過期間対応テンポレベル設定処理では、図６に示すように、選曲が確定されると（Ｓ１）、楽曲別経過期間特定手段５４が経過期間特定テーブル５５を参照し、選曲された楽曲の経過期間を特定する（Ｓ２）。続いて、特定された経過期間に基づいて、テンポレベル設定手段５３がカラオケ本体３１の経過期間対応テンポレベル設定テーブル２５ｂを参照し、当該楽曲のテンポレベルとして設定する（Ｓ３）。
【００３７】
続いて、楽曲ＩＤに加えてテンポレベルを含めて予約待ち行列を作成してＲＡＭ４４に格納する（Ｓ４）。この予約待ち行列は、例えば図７に示すような構成となっている。
【００３８】
＜第２の実施形態＞
次に、本発明の第２の実施形態に係るカラオケシステムについて説明する。図８は、本発明の第２の実施形態に係るカラオケシステムにおけるホスト装置の概略構成を示すブロック図である。
【００３９】
本発明の第２の実施形態に係るカラオケシステムは、図８に示すように、上述した第１の実施形態に係るカラオケシステムの構成に加えて、さらに、経過期間対応テンポレベルデータ収集手段２６を備えている。この経過期間対応テンポレベルデータ収集手段２６は、利用者が歌唱を行った際に選択したテンポレベルと、当該楽曲のリリース年から現暦年までの経過期間とを収集するためのプログラムからなる。具体的には、図８に示すように、ホスト装置１１が経過期間対応テンポレベルデータ収集手段２６を備えており、この経過期間対応テンポレベルデータ収集手段２６が通信ネットワーク１２を介して複数のカラオケ演奏端末１３にアクセスして、利用者が歌唱を行った際に選択したテンポレベルと、当該楽曲のリリース年から歌唱時までの経過期間とを収集するようになっている。
【００４０】
第２の実施形態に係るカラオケシステムでは、経過期間対応テンポレベル設定テーブル２５ａは、経過期間対応テンポレベルデータ収集手段２６で収集したデータに基づき更新される。なお、経過期間対応テンポレベル設定テーブル２５ａの更新は、週１回、月１回、半年に１回等の任意のタイミングで実施される。
【００４１】
＜他の実施形態＞
本発明のカラオケシステムを構成する機器や手段は上述したものに限定されず、カラオケシステムの利用目的等に応じて、必要な機器や手段のみの構成としたり、適宜他の機器や手段を付加したりすることができる。
また、各手段をそれぞれ別個のものとして構成するのではなく、複数の機能を統合した手段として構成してもよい。
さらに、顧客データベース２４及び経過期間対応テンポレベルデータ収集手段２６をホスト装置１１の構成要素とするのではなく、カラオケ演奏端末１３の構成要素として、ローカルで顧客情報の管理及び楽曲別経過期間対応テンポレベルの取得に関する処理を行ってもよい。
【図面の簡単な説明】
【００４２】
【図１】本発明の第１の実施形態に係るカラオケシステムの概略構成を示すブロック図。
【図２】本発明の実施形態に係るカラオケシステムで用いる顧客データベースの説明図。
【図３】本発明の実施形態に係るカラオケシステムで用いる経過期間対応テンポレベル設定テーブルの説明図。
【図４】カラオケ演奏端末の構成を示すブロック図。
【図５】本発明の実施形態に係るカラオケシステムで用いる経過期間特定テーブルの説明図。
【図６】本発明の実施形態に係るカラオケシステムにおける経過期間対応テンポレベル設定処理を示すフローチャート。
【図７】本発明の実施形態に係るカラオケシステムで用いる予約待ち行列の説明図。
【図８】本発明の第２の実施形態に係るカラオケシステムにおけるホスト装置の概略構成を示すブロック図。
【符号の説明】
【００４３】
１１  ホスト装置
１２  通信ネットワーク
１３  カラオケ演奏端末
２１  送受信部
２２  制御手段
２３  データ処理手段
２４  顧客データベース
２５ａ  経過期間対応テンポレベル設定テーブル（ホスト装置側）
２５ｂ  経過期間対応テンポレベル設定テーブル（カラオケ本体側）
２６  経過期間対応テンポレベルデータ収集手段
３１  カラオケ本体
３２  表示手段
３３  ミキシングアンプ
３４  スピーカ
３５  マイクロホン
３６  遠隔入出力端末
３７  楽曲検索手段
４１  バス
４２  中央制御手段
４３  ＲＯＭ
４４  ＲＡＭ
４５  ＨＤＤ
４６  楽曲データベース
４７  映像データベース
４８  音楽曲出力手段
４９  再生制御手段
５０  予約管理手段
５１  ローカル送受信手段
５２  ネットワーク送受信手段
５３  テンポレベル設定手段
５４  楽曲別経過期間特定手段
５５  経過期間特定テーブル
５６  遠隔入出力端末のＲＡＭ
【図１】
0004949962.tif 000002
【図２】
0004949962.tif 000003
【図３】
0004949962.tif 000004
【図４】
0004949962.tif 000005
【図５】
0004949962.tif 000006
【図６】
0004949962.tif 000007
【図７】
0004949962.tif 000008
【図８】
0004949962.tif 000009